(57)【要約】      （修正有）【課題】撮像時は現像処理を行わず、撮像装置の負荷が低い状態の時に自動的に現像処理を行う構成を取る場合、ユーザーが現像処理した後の電池残量をあらかじめ把握できる撮像装置を提供する。【解決手段】撮像装置１００は、ＲＡＷ画像を取得する取得手段と、ＲＡＷ画像に適切なパラメータを用いてＲＡＷ画像を現像する第１の現像処理手段と、撮像装置の現在の電池残量を取得し、ＲＡＷ画像を現像処理する際に要する電力の予測値をパラメータに基づいて算出し、電池残量と予測値から現像処理後の電池残量を算出する電池残量算出手段と、電池残量算出手段によって算出された現像処理した後の電池残量を表示する表示手段を備える。【選択図】図１
2019110370.tif 000002
【特許請求の範囲】
【請求項１】
ＲＡＷ画像を取得する取得手段と、
前記ＲＡＷ画像に適切なパラメータを用いて前記ＲＡＷ画像を現像する第１の現像処理手段と、
撮像装置の現在の電池残量を取得し、前記ＲＡＷ画像を現像処理する際に要する電力の予測値を前記パラメータに基づいて算出し、前記電池残量と前期予測値から現像処理後の電池残量を算出する電池残量算出手段と、
前記電池残量算出手段によって算出された前記現像処理した後の電池残量を表示する表示手段を備える撮像装置。
【請求項２】
ＲＡＷ画像を撮像する撮像手段と、
前記ＲＡＷ画像を圧縮する圧縮手段と、
前記ＲＡＷ画像を記録媒体へ記録する記録手段をさらに有し、
前記取得手段で取得したＲＡＷ画像は、前記記録媒体から取得したＲＡＷ画像であることを特徴とする請求項１に記載の撮像装置。
【請求項３】
前記撮像手段によって前記ＲＡＷ画像を撮像すると同時に、前記ＲＡＷ画像を現像してプレビュー画像を生成する第２の現像手段と、
前記表示手段に表示された前記プレビュー画像をユーザーが選択するための入力手段をさらに備えることを特徴とする請求項１記載の撮像装置。
【請求項４】
前記第２の現像手段は、前記第１の現像手段より簡易な現像処理を行うことを特徴とする請求項３に記載の撮像装置。
【発明の詳細な説明】
【技術分野】
【０００１】
本発明は撮像装置及びその制御方法に関し、特にＲＡＷ画像を扱う撮像装置に関する。
【背景技術】
【０００２】
従来の撮像装置では、撮像センサによって撮像された生の画像情報（ＲＡＷ画像）をデベイヤー処理（デモザイク処理）し、輝度と色差から成る信号に変換して、各信号についてノイズ除去、光学的な歪補正、画像の最適化などのいわゆる現像処理を行っている。そして、現像処理された輝度信号および色差信号に対して圧縮符号化を行い、記録媒体に記録する事が一般的に行われている。
【０００３】
一方で、ＲＡＷ画像を記録できる撮像装置も存在する。ＲＡＷ画像は記録に必要なデータ量が膨大になるが、オリジナル画像に対する補正や劣化を最低限に抑え、かつ撮影後に編集することが可能であるため、特に上級者によって好んで使われている。
【０００４】
ＲＡＷ画像を記録する撮像装置の構成は特許文献１に開示されている。特許文献１には、ＲＡＷ画像と共に現像パラメータを記録しておき、再生時に当該現像パラメータを用いてＲＡＷ画像の現像および再生を行う構成が記載されている。
【先行技術文献】
【特許文献】
【０００５】
【特許文献１】特開２０１１−２４４４２３号公報
【発明の概要】
【発明が解決しようとする課題】
【０００６】
しかしながら、撮像時は現像処理を行わず、撮像装置の負荷が低い状態の時に自動的に現像処理を行う構成のときには、現像処理の完了時点の電池残量を事前に把握することができない。そのため、撮影を行いたいときに電池残量がなくなってしまうという課題がある。
【０００７】
そこで、本発明の目的は、撮像時は現像処理を行わず、撮像装置の負荷が低い状態の時に自動的に現像処理を行う構成を取る場合において、ユーザーが現像処理した後の電池残量をあらかじめ把握できる撮像装置を提供することにある。
【課題を解決するための手段】
【０００８】
上記目的を達成するために、本発明の撮像装置は、
ＲＡＷ画像を取得する取得手段と、
前記ＲＡＷ画像に適切なパラメータを用いて前記ＲＡＷ画像を現像する第１の現像処理手段と、
撮像装置の現在の電池残量を取得し、前記ＲＡＷ画像を現像処理する際に要する電力の予測値を前記パラメータに基づいて算出し、前記電池残量と前期予測値から現像処理後の電池残量を算出する電池残量算出手段と、
前記電池残量算出手段によって算出された前記現像処理した後の電池残量を表示する表示手段
を備えることを特徴とする。
【発明の効果】
【０００９】
本発明によれば、撮像装置の負荷が低い状態の時に、自動的に現像処理を行う構成を取る場合において、ユーザーが現像処理した後の電池残量をあらかじめ把握できる撮像装置を提供することができる。
【図面の簡単な説明】
【００１０】
【図１】撮像装置１００の構成を説明するブロック図
【図２】実施例１における撮像装置１００のユーザーインターフェースについて説明する図
【図３】実施例１における撮像装置１００の処理の流れを説明するフロー図
【図４】実施例１における撮像装置１００の電池残量算出手段について説明する図
【図５】実施例２における撮像装置１００のユーザーインターフェースについて説明する図
【図６】実施例２における撮像装置１００の処理の流れを説明するフロー図
【発明を実施するための形態】
【００１１】
以下図面を参照しながら、本発明の実施の形態を詳細に説明する。
【００１２】
［実施例１］
本発明は、撮影時にＲＡＷ画像記録とプレビュー用の簡易現像のみ行い、撮像装置の負荷の低いタイミングである電源を切る際に高画質現像を行う撮像装置について説明する。
【００１３】
図１は、本発明の第１の実施形態に係る撮像装置の構成例を示すブロック図である。図１において、１００は撮像装置を示す。１０１は、被写体の光学像を集光する対物レンズである。１０２は、光学像を電気信号に変換する撮像素子であり、ＣＣＤやＣＭＯＳ等で構成される撮像センサ部である。
【００１４】
１０３は、撮像センサ部１０２から出力される電気信号において、欠陥画素や信頼性の低い画素の値に対し、周辺画素値を用いて修復対象の画素を補間したり、所定のオフセット値を減算したりする画素の修復処理を行う、センサ信号処理部である。本実施形態では、センサ信号処理部１０３から出力される画像データを、未現像の画像を意味するＲＡＷ画像データと定義する。
【００１５】
１０４は、センサ信号処理部１０３から出力されたＲＡＷ画像データを現像処理する現像部である。本実施形態では、２つの異なる現像処理部を有し、それぞれ、処理精度と処理負荷が異なる。１０５は、センサ信号処理部１０３から出力されたＲＡＷ画像データを簡易的に現像処理する、簡易現像部である。簡易現像部１０５は、ＲＡＷ画像データを縮小し、更に処理自体も簡易的に行う事で、現像処理時間が、撮像の時間と同等、またはそれ以上に短くなるように構成されている。撮影動作と並行したリアルタイムの現像の際には簡易現像部１０５を用いるようにする。また、簡易現像部１０５で生成される画像を、低画質画像と呼ぶことにする。
【００１６】
１０６は、センサ信号処理部１０３から後述するＲＡＷ伸張部１２２にて出力されたＲＡＷ画像データを、簡易現像部１０５よりも高精度の処理を行う、高画質現像部である。簡易現像部１０５よりも高画質な現像画像が得られるが、一方で処理負荷が大きい。高画質現像部１０６で生成される画像を、高画質画像と呼ぶことにする。簡易現像部１０５、および高画質現像部１０６は共に、ＲＡＷ画像データに対してデベイヤー処理、ホワイトバランス調整、ＲＧＢ→ＹＵＶ変換、ノイズ低減、光学歪補正等の現像処理を行う。なお、これらは現像処理に含まれる処理の例示であり、これらの全てが現像処理に含まれているとは限らない。他の処理が含まれてもよく、また一部の処理が含まれなくてもよい。
【００１７】
なお、本実施形態では、簡易現像部１０５と高画質現像部１０６が独立に存在する構成を示しているが、一つの現像部が動作モードを切り替えて、簡易現像と高画質現像の処理を排他に行う構成としてもよい。また、複数の現像部は互いに処理負荷が異なればよく、処理する画像のサイズと処理精度の両方を下げることは必須ではない。例えば、処理する画素数は同一であるが、処理精度が異なっている現像部や、処理精度は同一であるが処理する画素数が異なっている現像部が含まれていてもよい。但し、撮影された画像の現像処理が、次の画像の撮影開始までに完了できる現像部が少なくとも１つ含まれているようにする。
【００１８】
１０７は、センサ信号処理部１０３よりＲＡＷ画像データが供給され、画像情報からたとえばフォーカス状態や露出状態、ＩＳＯ感度などの評価値を取得する。１０８は、撮像装置１００に内蔵されているバッテリである。１０９は、バッテリ１０８の電圧を取得し、評価値取得部１０７において取得した評価値の値に基づいて、電池残量を予測し算出する、電池残量算出部である。１１０は、ユーザーが撮像装置１００に対して指示を与えるために用いるキーやボタン、タッチパネルなどの入力デバイスを含む、操作部である。
【００１９】
１１１は、ＣＰＵ、ＭＰＵなどのプログラマブルプロセッサと、プログラマブルプロセッサが実行する制御プログラムを格納する不揮発メモリを含み、撮像装置１００の全体の処理を制御する制御部である。１１２は、操作部１１０によりユーザーからの指示された操作内容や、実行中の動作モードに応じた制御に従って制御部１１１によって切り替えられ、簡易現像部１０５または高画質現像部１０６の一方の出力を後段のブロックに供給するスイッチである。１１３は、現像部１０４によって現像処理された画像データの表示処理を行う表示制御部である。
【００２０】
１１４は、表示制御部１１３によって表示処理がなされた画像データを表示する表示部である。１１５は、表示制御部１１３によって表示処理がなされた画像データを外部に接続された表示機器に出力する、映像出力端子１１５である。映像出力端子１１５は、例えばＨＤＭＩ(登録商標)やＳＤＩのような汎用インターフェースを含む。１１６は、現像部１０４によって現像処理された画像データを、ＪＰＥＧ等の公知の符号化方式に従い、低画質画像または高画質画像を含む静止画データを符号化し、圧縮するＪＥＧ圧縮部である。
【００２１】
１１７は、センサ信号処理部１０３から出力されたＲＡＷ画像にウエーブレット変換や差分符号化などを適用し、データ量を削減した圧縮ＲＡＷデータを生成するＲＡＷ圧縮部である。１１９は、ＪＰＥＧ圧縮部１１６から出力される静止画データや、ＲＡＷ圧縮部１１７から出力されるＲＡＷ画像データを、後述する記録媒体１２０へ記録する、記録媒体制御部である。記録媒体制御部１１９は、記録媒体１２０から静止画ファイルやＲＡＷ画像データファイルを読み出すこともできる。
【００２２】
１２０は、静止画データやＲＡＷ画像データを記憶する記録媒体である。記録媒体１２０は、例えば内蔵式の大容量メモリやハードディスク、または着脱式のメモリカード等である。１２１は、記録媒体制御部１１９で記録媒体１２０から読み出した静止画ファイルを伸張し、表示制御部にデータを送る、ＪＰＥＧ伸張部である。１２２は、記録媒体制御部１１９で記録媒体１２０からＲＡＷファイルを読み出して、圧縮ＲＡＷデータを復号して伸張するＲＡＷ伸張部である。ＲＡＷ伸張部１２２によって伸張されたＲＡＷデータは、現像部１０４の簡易現像部１０５または高画質現像部１０６に供給される。
【００２３】
ここで、図１を用いて、撮像装置１００の撮像時のデータフローについて説明する。対物レンズ１０１で受光した光学像を、撮像センサ部１０２で電気信号に変換し、センサ信号処理部１０３において、画素の修復処理を行う。画素の修復処理を終えたＲＡＷ画像データは、簡易現像部１０５、評価値取得部１０７、ＲＡＷ圧縮部１１７に供給される。
【００２４】
簡易現像部１０５に供給されたＲＡＷ画像データは、簡易現像部１０５において現像処理され、低画質画像が生成される。低画質画像は、スイッチ１１２により、表示制御部１１３または、ＪＰＥＧ圧縮部１１６へ供給される。表示制御部１１３へ供給された低画質画像は、表示部１１４へ表示される。ＪＰＥＧ圧縮部１１６へ供給された低画質画像は、記録媒体制御部１１９より記録媒体１２０へ記録される。
【００２５】
ＲＡＷ圧縮部１１７で圧縮されたＲＡＷ画像データは、記録媒体制御部１１９より記録媒体１２０へ記録される。なお、低画質画像とＲＡＷ画像データを関連付けて記録媒体１２０へ記録してもよい。
【００２６】
次に、撮像装置１００の高画質現像時のデータフローについて説明する。評価値取得部１０７に供給されたＲＡＷ画像データは、評価値取得部１０７においてＲＡＷ画像データの画像情報から評価値を取得し、電池残量算出部１０９へ評価値を供給する。
【００２７】
電池残量算出部１０９において、評価値の値とバッテリ１０８から現在の電池残量と、ＲＡＷ画像データを高画質現像する際の消費電力と、現像可能なＲＡＷ画像データの最大枚数と、現像した後の電池残量を算出し制御部１１１へ供給する。そして、制御部１１１によって表示制御部１１３にて表示処理を行い、表示部１１４へ表示されるか、映像出力端子１１５へ出力される。
【００２８】
次に、記録媒体制御部１１９において、記録媒体１２０より読み出したＲＡＷ画像データをＲＡＷ伸張部１２２へ供給する。ＲＡＷ伸張部１２２で伸張されたＲＡＷ画像データは、高画質現像部１０６に供給される。高画質現像部１０６おいてＲＡＷ画像データが現像処理され、高画質画像が生成される。高画質画像はスイッチ１１２により、表示制御部１１３および、ＪＰＥＧ圧縮部１１６へ供給される。表示制御部１１３へ供給された高画質画像は、表示部１１４へ表示される。ＪＰＥＧ圧縮部１１６へ供給された高画質画像は、記録媒体制御部１１９より記録媒体１２０へ記録される。
【００２９】
次に、図２を用いて、実施例１における撮像装置１００のユーザーインターフェースについて説明する。
【００３０】
図２（ａ）は、撮像装置１００を示す。２０１は撮像装置１００の電源をオン、オフする電源ボタンである。２０２は撮像装置１００の表示部１１４であり、タッチパネル式の操作部１１０も兼ねている。ユーザーが電源ボタン２０１を操作することにより、撮像装置１００の電源をオフする要求があると、タッチパネル２０２に現像処理を実行するか否かの表示２０３が表示される。現像する場合はＹＥＳボタン２０４を選択し、現像せずに撮像装置１００の電源をオフする場合はＮＯボタン２０５を選択する。
【００３１】
図２（ｂ）は、図２（ａ）において、ＹＥＳボタン２０４を選択した場合に切り替わる表示を示している。タッチパネル２０２には、未現像のＲＡＷ画像枚数２０６、現像可能なＲＡＷ画像の最大枚数２０７、ユーザーが現像するＲＡＷ画像の枚数を選択するタブ２０８、電池残量２０９、現像処理した後の電池残量２１０、現像開始ボタン２１１、現像キャンセルボタン２１２が表示される。
【００３２】
未現像のＲＡＷ画像枚数２０６は、制御部１１１においてカウントした撮像回数から、高画質現像部１０６における現像回数を減算することにより求められる。電池残量２０９は、電池残量算出部１０９においてバッテリ１０８から取得し、求められる。現像可能なＲＡＷ画像の最大枚数２０７は、電池残量算出部１０９において電池残量２０９から求められる。現像処理した後の電池残量２１０は、電池残量算出部１０９において、電池残量２０９と、操作部１１０から入力された選択枚数とＲＡＷ画像データの評価値から求められる。
【００３３】
図２（ｂ）に示すように、タッチパネル２０２には、未現像のＲＡＷ画像枚数２０６が１００枚あり、電池残量４５パーセントで未現像のＲＡＷ画像は１００枚を全て現像処理でき、現像処理した後の電池残量は１７パーセントになることを表示している。
【００３４】
図２（ｃ）もまた、図２（ａ）において、ＹＥＳボタン２０４を選択した場合に切り替わる表示を示している。タッチパネル２０２には、未現像のＲＡＷ画像枚数２０６が２００枚あり、電池残量４５パーセントで現像できる最大のＲＡＷ画像数は、１５８枚であることを表示している。
【００３５】
図２（ｄ）は、図２（ｃ）において、ユーザーがタブ２０８を操作し、９０枚現像処理をすると選択した場合について示している。電池残量算出部１０９より、９０枚現像処理した後の電池残量は、２５パーセントであることが算出される。算出した電池残量を、現像処理した後の電池残量２１０に表示する。ユーザーは、現像処理した後の電池残量２１０を確認しながらタブ２０８を操作し、１５８枚以下で現像するＲＡＷ画像枚数を選択する。ユーザーが現像する枚数を決定した場合、現像開始ボタン２１１を選択して現像を開始し、現像を行わない場合はキャンセルボタン２１２を選択する。
【００３６】
次に、図１の構成図および図２のユーザーインターフェース、図３のフローチャートを用いて、処理の流れについて説明する。
【００３７】
Ｓ３０１は、制御部１１１が、電源ボタン２０１から、ユーザーによる撮像装置１００の電源をオフする操作を受けつける。Ｓ３０２は、制御部１１１においてカウントした撮像回数から、高画質現像部１０６における現像回数を減算することで未現像のＲＡＷ画像枚数を求め、枚数が０枚でないときはＳ３０３へ進み、０枚のときはＳ３１７へ進む。Ｓ３０３は、図２（ａ）に示すような、タッチパネル２０２に現像処理を実行するか否かの表示をする。
【００３８】
Ｓ３０４は、制御部１１１が操作部１１０より、現像処理を実行するか否かの入力を受け付け、実行する入力を受け付けた場合はＳ３０５へ進み、実行しない入力を受け付けた場合はＳ３１８へ進む。Ｓ３０５からＳ３０９は、図２（ｂ）または、図２（ｃ）に示すような表示をする。Ｓ３０５は、電池残量算出部１０９において、バッテリ１０８の現在の電池残量を取得し、タッチパネル２０２に電池残量２０９を表示する。
【００３９】
Ｓ３０６は、制御部１１１において、タッチパネル２０２に未現像のＲＡＷ画像枚数２０６を表示する。Ｓ３０７は、電池残量算出部１０９において、ＲＡＷ画像それぞれの現像処理に要する電力を、評価値取得部１０７で取得した評価値に基づいて算出する。なお、評価値取得部１０７で取得した評価値に基づく電池残量の算出方法については後述する。
【００４０】
Ｓ３０８は、制御部１１１が、電池残量算出部１０９において、ＲＡＷ画像の中から撮影日時順に現像処理した場合の、Ｓ３０５で取得した電池残量で現像可能な最大枚数を算出する。そして制御部１１１は、タッチパネル２０２に現像可能なＲＡＷ画像の最大枚数２０７を表示する。未現像のＲＡＷ画像を全て現像処理しても電池残量が余る場合は、現像可能なＲＡＷ画像の最大枚数２０７に未現像のＲＡＷ画像枚数２０６を表示する。
【００４１】
Ｓ３０９は、制御部１１１が、電池残量算出部１０９において、Ｓ３０５で取得した電池残量で現像可能な最大枚数を現像した後の電池残量を算出する。そして制御部１１１は、タッチパネル２０２に現像処理した後の電池残量２１０を表示する。Ｓ３１０は、制御部１１１において、現像するＲＡＷ画像の枚数を選択するタブ２０８より、Ｓ３０８で表示した現像可能な最大枚数以下のＲＡＷ画像枚数の入力を受け付ける。
【００４２】
Ｓ３１１は、電池残量算出部１０９において、Ｓ３１０で選択された枚数の各ＲＡＷ画像の現像処理に要する電力を、評価値取得部１０７で取得した評価値に基づいて算出する。Ｓ３１２は、制御部１１１において、Ｓ３１１で求めた各ＲＡＷ画像の現像処理に要する電力より、電池残量を算出し、タッチパネル２０２の現像処理した後の電池残量２１０を表示する。
【００４３】
Ｓ３１３は、制御部１１１において、現像開始ボタン２１１を選択する入力を受け付けた場合はＳ３１５へ進み、そうでない場合はＳ３１４へ進む。Ｓ３１４は、制御部１１１において、現像キャンセルボタン２１２を選択する入力を受け付けた場合はＳ３１７へ進み、そうでない場合はＳ３１０へ進む。Ｓ３１５は、制御部１１１において、撮像装置１００が現像処理のみ行う動作モードになるよう、制御を行う。このとき、タッチパネル２０２には、「現像中」などと表示する。
【００４４】
Ｓ３１６は、高画質現像部１０６において、Ｓ３１０において選択された枚数のＲＡＷ画像に対して高画質現像処理を行う。Ｓ３１７は、高画質現像部１０６において、Ｓ３１０において選択された枚数のＲＡＷ画像を全て現像処理した場合はＳ３１８へ進み、そうでない場合はＳ３１６へ進む。Ｓ３１８は、制御部１１１において、撮像装置１００の電源をオフするよう制御を行う。
【００４５】
次に、図４を用いて、ＲＡＷ画像それぞれの現像処理に要する電力を、評価値取得部１０７で取得した評価値に基づいて、電池残量算出部１０９において算出する処理について説明する。
【００４６】
図４の表４００は、Ｎｏ．１からＮｏ．９までのＲＡＷ画像を示している。２列目は、評価値取得部１０７で取得したそれぞれのＲＡＷ画像のＩＳＯ感度、３列目は絞り値である。ＩＳＯ感度を上げるにつれて、ノイズが大きく発生する為、ＩＳＯ感度が高い画像にノイズリダクション処理が施される。また、絞り値は、大きく絞ると、光の回折現象によって小絞りぼけが起こるため、小絞りぼけを補正する処理が施される。本実施例では、ＩＳＯ感度が３２００以上のＲＡＷ画像に対しては、ノイズリダクション処理を行い、絞り値が８以上のＲＡＷ画像に小絞りぼけ補正処理を行うとする。
【００４７】
これに応じて、ＲＡＷ画像Ｎｏ．１からＮｏ．９それぞれについて、ノイズリダクション処理、回復処理の有無が決定される。ノイズリダクション処理または回復処理に要する電力消費は、あらかじめ過去のデータより予測値を算出しておき、ノイズリダクション処理または回復処理が「あり」と判断した画像については、その分の電力消費を考慮し、電池残量算出部１０９によってＲＡＷ画像Ｎｏ．１からＮｏ．９の電力を算出する。
【００４８】
［実施例２］
本発明の第１の実施例では、ユーザーによって指定された枚数のＲＡＷ画像の現像に要する電力をあらかじめ算出する形態を示したが、第２の実施例では、ユーザーが具体的に選択したＲＡＷ画像の現像に要する電力をあらかじめ算出する。
【００４９】
図５を用いて、実施例２における撮像装置１００のユーザーインターフェースについて説明する。なお、図２と同じ部品には同じ番号を付してある。図５（ａ）は、撮像装置１００のユーザーインターフェースを示す。図５（ａ）は、図２（ａ）において、ＹＥＳボタン２０４を選択した場合に切り替わる表示を示している。タッチパネル５０１には、ユーザーに現像する画像の選択を促す表示５０２、ユーザーが現像する画像を選択する選択画面５０３、選択画面５０３をスクロールするスクロールバー５０４、未現像のＲＡＷ画像枚数２０６、選択画面５０３で選択された現像実行枚数５０５、現像処理した後の電池残量２１０、現像開始ボタン２１１、現像キャンセルボタン２１２が表示される。なお、選択画面５０２に表示されているサムネイル画像は、撮影時に簡易現像部１０４で簡易現像処理された低画質画像である。
【００５０】
図５（ａ）に示すように、タッチパネル５０１には、未現像のＲＡＷ画像枚数２０６が２５０枚あり、現像する画像が選択されていないため、現像実行枚数５０５は０枚と表示している。未現像のＲＡＷ画像Ｎｏ．１からＮｏ．２５０の２５０枚のうち、Ｎｏ．５４からＮｏ．６２までの画像が、選択画面５０３へ表示されている。ユーザーはスクロールバー５０４を操作することにより、未現像の画像２５０枚を参照することができる。
【００５１】
図５（ｂ）に示すように、タッチパネル５０１には、Ｎｏ．５４、Ｎｏ．５８、Ｎｏ．５９を含む６０枚が選択された状態を表示している。また、ユーザーが選択したＲＡＷ画像６０枚を現像した後の電池残量は６５パーセントになることを表示している。ユーザーは、現像処理した後の電池残量２１０を確認しながら現像するＲＡＷ画像を選択する。選択したＲＡＷ画像データの現像処理を開始する場合、現像開始ボタン２１１を押下し、現像処理を行わない場合はキャンセルボタン２１２を押下する。
【００５２】
以下、図６を参照して、本発明の第２の実施例による、撮像装置１００の処理の流れについて説明する。図３と同じステップには同じ番号を付してあり、説明を省略する。Ｓ６０１は、制御部１１１が、簡易現像部１０４で簡易現像処理された低画質画像を選択画面５０２へ表示する。Ｓ６０２は、制御部１１１において、ＲＡＷ画像選択画面５０２から、ユーザーによるＲＡＷ画像の選択入力を受け付け、枚数をカウントし、現像実行枚数５０５へ表示する。
【００５３】
Ｓ６０３は、電池残量算出部１０９において、Ｓ６０２で選択された各ＲＡＷ画像の現像処理に要する電力を、評価値取得部１０７で取得した評価値に基づいて算出する。Ｓ６０４は、制御部１１１において、Ｓ６０３で求めた各ＲＡＷ画像の現像処理に要する電力より、電池残量を算出し、タッチパネル５０１の現像処理した後の電池残量２１０を表示する。Ｓ６０５は、制御部１１１において、現像開始ボタン２１１を選択する入力を受け付けた場合はＳ３１５へ進み、そうでない場合はＳ３１４へ進む。
【００５４】
以上に述べたように、実施例１、２によれば、撮像時は現像処理を行わず、撮像装置の負荷が低い状態の時に自動的に現像処理を行う構成を取る場合でも、ユーザーは現像後の電池残量をあらかじめ把握できる撮像装置を提供することができる。
【符号の説明】
【００５５】
１００  撮像装置
１０１  撮像光学部
１０２  撮像センサ部
１０３  センサ信号処理部
１０４  現像部
１０５  簡易現像部
１０６  高画質現像部
１０７  評価値取得部
１０８  バッテリ
１０９  電池残量算出部
１１０  操作部
１１１  制御部
１１２  スイッチ
１１３  表示制御部
１１４  表示部
１１５  映像出力端子
１１６  ＪＰＥＧ圧縮部
１１７  ＲＡＷ圧縮部
１１９  記録媒体制御部
１２０  記録媒体
１２１  ＪＰＥＧ伸張部
１２２  ＲＡＷ伸張部
【図１】
2019110370.tif 000003
【図２】
2019110370.tif 000004
【図３】
2019110370.tif 000005
【図４】
2019110370.tif 000006
【図５】
2019110370.tif 000007
【図６】
2019110370.tif 000008